【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
取引先において、無線周波数（ＲＦ）取引を促進するように構成されたＲＦデバイスからデバイスの取引要求を受信することと、
取引先の取引要求の認証を受信する前に、該取引先の取引要求が、承認されたプロトコルにしたがうものであることに応答して、該デバイスの取引要求を承認することであって、該取引先の取引要求は、該デバイスの取引要求に応答して、該取引先によって生成される、ことと、
該取引先による該ＲＦ取引の承認の後に、複数の取引先の取引要求を取引処理エンティティに送信することと
を含む、方法。
【請求項２】
前記ＲＦ取引の結果、消費者が商品の所有権を入手するか、消費者がサービスを受信するかの少なくとも１つが起こる、請求項１に記載の方法。
【請求項３】
前記取引先の取引要求は、前記デバイスの取引要求、取引先の識別子、および取引先を識別する情報を含む、請求項１に記載の方法。
【請求項４】
前記承認されたプロトコルは、所定の量よりも小さな取引のコスト、前記ＲＦ取引における特定の商品、該ＲＦ取引における特定のサービス、または該ＲＦ取引の位置のうちの少なくとも１つに関連する、請求項１に記載の方法。
【請求項５】
各ＲＦデバイスに対して承認された前記デバイスの取引要求の数が所定の量を超過していることに応答して、前記ＲＦ取引の終了の前に、前記取引先の取引要求のリアルタイムの承認を要求すること
をさらに含む、請求項１に記載の方法。
【請求項６】
前記デバイスの取引要求は、プレロードされたマーカーまたはダイレクトリンクＲＦデバイスのマーカーのうちの少なくとも１つを含み、該ダイレクトリンクＲＦデバイスのマーカーは、前記ＲＦデバイスが、アカウントと直接リンクされていることを示すように構成されており、該プレロードされたマーカーは、該ＲＦデバイスがプレロードされた値と関連付けられていることを示すように構成されている、請求項１に記載の方法。
【請求項７】
特定の承認プロトコルを選択することをさらに含み、該特定の承認プロトコルは、ＲＦデバイス特有の特性またはＲＦデバイス取引特有の特性の少なくとも１つに基づく基準を含む、請求項１に記載の方法。
【請求項８】
承認プロトコルを取引先に提供することと、
取引処理エンティティにおいて、取引先がデバイスの取引要求を承認することに基づいて、該取引先によるＲＦ取引の承認の後に、複数の取引先の取引要求を受信することであって、該デバイスの取引要求は、ＲＦデバイスから受信され、該複数の取引先の取引要求のうちの少なくとも１つは、該デバイスの取引要求に応答して、該取引先によって生成される、ことと、
該複数の取引先の取引要求のそれぞれを認証することであって、該認証される該複数の取引先の取引要求のそれぞれは、該承認されたプロトコルにしたがうものである、ことと
を含む、方法。
【請求項９】
取引先のマーカーを前記取引先に割り当て、デバイスの識別子およびデバイスのマーカーをＲＦ取引デバイスに割り当てることであって、該デバイスのマーカーは、プレロードされたマーカーまたはダイレクトリンクＲＦデバイスのマーカーのうちの少なくとも１つを含んでおり、該ダイレクトリンクＲＦデバイスのマーカーは、前記ＲＦデバイスが、アカウントと直接リンクされていることを示すように構成されており、該プレロードされたマーカーは、該ＲＦデバイスがプレロードされた値と関連付けられていることを示すように構成されている、ことと、
該ＲＦ取引デバイスから取引デバイスの更新要求を受信することであって、該取引デバイスの更新要求は、該デバイスの識別子と、人口統計の更新要求、アカウント情報の更新要求、またはリロードパラメータの更新要求のうちの少なくとも１つとを含んでいる、ことと、
該取引デバイスの更新要求に応答して、該デバイスの識別子に対応するデバイスデータファイルを更新することであって、該デバイスデータファイルは、商品またはサービスに対して交換され得る値、人口統計の情報、ＲＦ支払デバイスに関連付けられた資金調達源の情報、および取引履歴の情報のうちの少なくとも１つを含んでいる、ことと
をさらに含む、請求項８に記載の方法。
【請求項１０】
リスク基準が首尾よく満たされていることに応答して、前記デバイスの取引要求を認証することをさらに含み、該デバイスの取引要求は、該リスク基準に基づいて、該取引先から受信されたものであり、該デバイスの取引要求は、前記デバイスのマーカー、前記デバイスの識別子、および取引の値を含んでいる、請求項９に記載の方法。
【請求項１１】
前記取引先のマーカー、前記デバイスの識別子、前記デバイスのマーカー、または前記取引の値のうちの少なくとも１つに基づいて、報酬の値を決定することと、
該報酬の値と該デバイスの識別子とを関連付けることと
をさらに含む、請求項９に記載の方法。
【請求項１２】
前記デバイスのマーカーは、前記プレロードされたマーカーを含んでおり、前記方法は、
前記取引デバイスの更新要求に応答して、プレロードされた値のデータファイルまたはリロードパラメータのデータファイルのうちの少なくとも１つを更新することであって、該プレロードされた値のデータファイルおよび該リロードパラメータのデータファイルは、前記デバイスの識別子に対応しており、該プレロードされた値のデータファイルは、格納された値を含んでいる、ことと、
該デバイスの識別子および該プレロードされた値のデータファイルに対応する第１の資金調達源から、資金調達源の値を要求することであって、該資金調達源の値を要求することは、該リロードパラメータのデータファイルからの指示に応答したものである、ことと、
該資金調達源の値を用いて該格納された値を更新することと
をさらに含む、請求項９に記載の方法。
【請求項１３】
少なくとも１つの更新リロードインディシアを用いて少なくとも１つのリロードインディシアを更新すること
をさらに含み、
前記リロードパラメータのデータファイルは、該少なくとも１つのリロードインディシアを含んでおり、前記リロードパラメータの更新要求は、該少なくとも１つの更新リロードインディシアと、最小の減少値の更新要求、時間の更新要求、更新要求の発生数、および最大値の更新要求のうちの少なくとも１つとを含む、請求項１２に記載の方法。
【請求項１４】
前記少なくとも１つのリロードインディシアは、前記取引先のマーカー、前記デバイスの識別子、前記デバイスのマーカー、ロイヤリティポイントの基準、報酬ポイントの基準、周期の基準、最小の減少レベルの基準、最大のロード値、またはユーザの基準のうちの少なくとも１つを含む、請求項１３に記載の方法。
【請求項１５】
前記資金調達源の値を前記第１の資金調達源から自動的に取り出すことと、
前記リロードパラメータのデータファイルにしたがって、前記第１の資金調達源を用いて、前記プレロードされた値のデータファイルを自動的に更新することと
をさらに含む、請求項１２に記載の方法。
【請求項１６】
前記デバイスのマーカーは、前記ダイレクトリンクＲＦデバイスのマーカーを含み、前記方法は、
前記デバイスの識別子と取引のアカウントを関連付けることであって、該取引のアカウントは、接触金融商品に対応している交換値を含んでいる、ことと、
前記取引の値を該取引のアカウントから要求し、前記ＲＦ取引を促進することと
をさらに含む、請求項９に記載の方法。
【請求項１７】
前記交換値は、お金の値、クレジットの値、料金の値、または報酬の値のうちの少なくとも１つを含んでおり、前記接触金融商品は、クレジットカード、デビットカード、報酬カード、ロイヤリティカード、またはギフトカードのうちの少なくとも１つを含んでいる、請求項１６に記載の方法。
【請求項１８】
少なくとも１つのリスク基準に基づいて、前記取引先の取引要求を評価すること
をさらに含み、
該リスク基準は、指定された時間の間の取引の量の制限、ＲＦデバイスの使用履歴、資金調達または積立の制限、所定の返金の規則、またはユーザが定義した制限のうちの少なくとも１つを含む、請求項８に記載の方法。
【請求項１９】
ゼロ値よりも大きなプレロードされた値を有するプレロードされた値のデータファイルをプレロードすることと、
取引の値が該プレロードされた値以下であることに応答して、前記取引先への該取引先の取引要求に対して認証を提供することと、
該プレロードされた値から該取引の値を推定することと、
プレロードされた最小の減少レベルが達成されたことに応答して、該プレロードされた値のデータファイルをリロードすることと
をさらに含む、請求項１２に記載の方法。
【請求項２０】
ＲＦ取引デバイスから取引先にデバイスの取引要求を送信することであって、該デバイスの取引要求は、ＲＦ取引を促進するように構成されている、ことと、
該取引先が取引処理エンティティから認証を受信する前に、取引先の取引要求が、認証されたプロトコルにしたがうものであることに応答して、該デバイスの取引先要求の承認を受信することであって、該取引先の取引要求は、該デバイスの取引要求に応答して、該取引先によって生成される、ことと
を含む、方法。
【請求項２１】
前記取引先の取引要求は、前記デバイスの取引要求、取引先の識別子、および取引先を識別する情報を含む、請求項２０に記載の方法。
【請求項２２】
ＲＦ識別（ＲＦＩＤ）リーダからのＲＦインテロゲーション信号に応答して、トランスポンダシステムの認証回路を活性化することと、
該ＲＦＩＤリーダからデバイス認証コードを受信することと、
該トランスポンダシステムの認証回路において、一意的な暗号鍵を用いて該デバイス認証コードを暗号化することと、
該ＲＦＩＤリーダに、該暗号化されたデバイスの認証コードと一意的な支払デバイスの識別コードまたはデバイスのマーカーのうちの少なくとも１つを送信することであって、該一意的な支払デバイスの識別コードは、該ＲＦ取引デバイスを識別するように構成されており、該デバイスのマーカーは、プレロードされたマーカーまたはダイレクトリンクＲＦデバイスのマーカーのうちの少なくとも１つを含んでおり、該ダイレクトリンクＲＦデバイスのマーカーは、該ＲＦデバイスがアカウントと直接リンクされていることを示すように構成されており、該プレロードされたマーカーは、該ＲＦデバイスがプレロードされた値と関連付けられていることを示すように構成されている、ことと、
ＲＦＩＤリーダの認証コードを該ＲＦＩＤリーダに送信することと、
トランスポンダの復号鍵を用いて、該ＲＦＩＤリーダから受信された暗号化されたＲＦＩＤリーダの認証コードを復号化することと、
該復号化されたＲＦＩＤリーダの認証コードが該ＲＦＩＤリーダの認証コードに一致していることに応答して、該ＲＦＩＤリーダを認証し、ＲＦデバイスのアカウントデータを該ＲＦＩＤリーダに送信することと
をさらに含む、請求項２０に記載の方法。
【請求項２３】
ユニバーサルシリアルバス（ＵＳＢ）インターフェースを介して、デバイスファイルの更新要求を取引先処理エンティティに通信することであって、該デバイスファイルの更新要求は、人口統計の更新要求、アカウント情報の更新要求、またはリロードパラメータの更新要求のうちの少なくとも１つを含んでおり、該ＵＳＢインターフェースは、該取引先処理エンティティまたは該取引先のうちの少なくとも１つを介して、該ＲＦ取引デバイスを個人化するようにさらに構成されており、該デバイスデータファイルの更新要求は、デバイスデータファイルを更新するように構成されており、該更新されるデバイスデータファイルは、商品またはサービスに対して交換され得る値、人口統計の情報、ＲＦ支払デバイスに関連付けられた資金調達源の情報、および取引履歴の情報のうちの少なくとも１つを含んでいる、こと
をさらに含む、請求項２２に記載の方法。
【請求項２４】
コンピュータ読み取り可能な媒体であって、該コンピュータ読み取り可能な媒体上には、プロセッサによる実行のための複数の命令が格納されており、該複数の命令は、
承認プロトコルを取引先に提供する命令と、
該取引先がデバイスの取引要求を承認していることに応答して、該取引先によるＲＦ取引の承認の後に、複数の取引先の取引要求を受信する命令であって、該取引先の取引要求は、該デバイスの取引要求に応答して、該取引先によって生成され、該デバイスの取引要求は、ＲＦデバイスから受信されたものである、命令と、
該複数の取引先の取引要求のそれぞれを認証する命令であって、該認証される複数の取引先の取引要求のそれぞれは、該承認されたプロトコルにしたがうものである、命令と
を含む、コンピュータ読み取り可能な媒体。
【請求項２５】
コンピュータ読み取り可能な媒体であって、該コンピュータ読み取り可能な媒体上には、プロセッサによる実行のための複数の命令が格納されており、該複数の命令は、
ＲＦ取引を促進するように構成されているＲＦデバイスからデバイスの取引要求を受信する命令と、
取引先の取引要求の認証を受信する前に、該取引先の取引要求が、承認されたプロトコルにしたがうものであることに応答して、該デバイスの取引要求を承認する命令であって、該取引先の取引要求は、該デバイスの取引要求に応答して生成される、命令と、
取引先による該ＲＦ取引の承認の後に、複数の取引先の取引要求を取引処理エンティティに送信する命令と
を含む、コンピュータ読み取り可能な媒体。
【請求項２６】
無線周波数（ＲＦ）取引を促進するように構成された取引システムであって、該取引先システムは、
該ＲＦ取引を促進するように構成されたＲＦデバイスからデバイスの取引要求を受信する手段と、
取引先の取引要求の認証を受信する前に、該取引先の取引要求が、承認されたプロトコルにしたがうものであることに応答して、該デバイスの取引要求を承認する手段であって、該取引先の取引要求は、該デバイスの取引要求に応答して、該取引先によって生成される、手段と、
取引先による該ＲＦ取引の承認の後に、複数の取引先の取引要求を取引処理エンティティに送信する手段と
を含む、取引先システム。